(57)【要約】【課題】ヒューズホルダーカバーごと容易に交換できるようにすることで、例えば溶断チェッカーを内蔵したヒューズホルダーカバーを交換したり、既存のヒューズホルダーに対して溶断チェッカーを内蔵したヒューズホルダーカバーを取り付けたりできるようにする。【解決手段】ヒューズホルダー１０に回動可能に取り付けられるヒューズホルダーカバー５０において、カバー部５１の端部付近において下方に突出して設けられた一対の接続片５５を備え、前記一対の接続片５５は、前記ヒューズホルダー１０に軸支されて回動軸となる突起５６が外側面に形成されるとともに、前記突起５６よりも先端側に操作部５７が形成されており、前記操作部５７を両側から押圧操作したときに、前記一対の接続片５５が互いに接近する方向に弾性変形するようにした。【選択図】図９
2014212055.tif 000002
【特許請求の範囲】
【請求項１】
ガラス管ヒューズを保持する一対の端子金具を備えたヒューズホルダーに回動可能に取り付けられるヒューズホルダーカバーであって、
前記ヒューズホルダーの上面を覆うカバー部と、
前記カバー部の中間部付近において下方に突出して設けられてガラス管ヒューズを保持可能な保持部と、
前記カバー部の端部付近において下方に突出して設けられ、互いに対向するように配置された一対の接続片と、
を備え、
前記一対の接続片は、前記ヒューズホルダーに軸支されて回動軸となる突起が外側面に形成されるとともに、前記突起よりも先端側に操作部が形成されており、
前記操作部を両側から押圧操作したときに、前記一対の接続片が互いに接近する方向に弾性変形することを特徴とする、ヒューズホルダーカバー。
【請求項２】
前記操作部は、前記接続片の先端を略Ｌ字形に曲折して形成されていることを特徴とする、請求項１記載のヒューズホルダーカバー。
【請求項３】
前記カバー部には、前記接続片と略平行にスリットが形成されていることを特徴とする、請求項１又は２記載のヒューズホルダーカバー。
【請求項４】
請求項１〜３のいずれかに記載のヒューズホルダーカバーと、このヒューズホルダーカバーを取り付け可能なヒューズホルダーと、を備えたヒューズ保持ユニットであって、
前記ヒューズホルダーは、前記突起を嵌合させるための嵌合孔を形成した一対の壁部を備え、
前記壁部の内側面には、端縁から前記嵌合孔に向かってガイド溝が形成されていることを特徴とする、ヒューズ保持ユニット。
【発明の詳細な説明】
【技術分野】
【０００１】
この発明は、ガラス管ヒューズを保持する一対の端子金具を備えたヒューズホルダーに回動可能に取り付けられるヒューズホルダーカバー、及び、このヒューズホルダーとヒューズホルダーカバーとを備えたヒューズ保持ユニットに関する。
【背景技術】
【０００２】
従来、電線内を流れる電流値が一定値を越えた場合に電流を遮断するために、制御盤内や機器内に回路保護用のガラス管ヒューズを設置することが行われている。こうしたガラス管ヒューズは、例えばヒューズホルダーに保持されて設置される。
【０００３】
また、ヒューズの溶断時にＬＥＤなどの表示灯を点灯して、溶断を報知できるようにしたヒューズホルダーも知られている。
【０００４】
例えば特許文献１には、端子台の台本体に起伏自在に保持アームを支持させ、台本体の内部に設けた一対の接続端子に管ヒューズを装填し、保持アームにヒューズの溶断を報せるための溶断チェッカーを配設可能とした構成が開示されている。この特許文献１によれば、溶断チェッカーを独立したユニット部品として構成し、これをヒューズ付き端子台の保持アームに設けた溝を利用して一体に圧嵌連結できるようにしたため、既に設置してあるヒューズ付き端子台に付加装備して、ヒューズ溶断時の表示機能を容易に追加できるとされている。
【先行技術文献】
【特許文献】
【０００５】
【特許文献１】特開平１１−２７３５４５号公報
【発明の概要】
【発明が解決しようとする課題】
【０００６】
しかしながら、上記した特許文献１記載の構成は、溶断チェッカーを回動部材（保持アーム）の上部に付加する構成であるため、溶断チェッカーが回動部材に内蔵されたものと比較すると、サイズが大きくなり、製造コストも上昇するという問題があった。
【０００７】
なお、特許文献１記載の構成において、溶断チェッカーを回動部材に内蔵すると、既に設置してあるヒューズ付き端子台に溶断チェッカーを付加装備することができないという問題がある。
【０００８】
そこで、本発明は、回動部材をユニットごと交換できるようにすることで、例えば溶断チェッカーを内蔵した回動部材を交換したり、既存のヒューズホルダーに対して溶断チェッカーを内蔵した回動部材を取り付けたりできるようにして、サイズや製造コストの上昇を抑えるとともに、既存の端子台に溶断チェッカーを付加することも容易な構造を提供することを課題とする。
【課題を解決するための手段】
【０００９】
本発明は、上記した課題を解決するためになされたものであり、以下を特徴とする。
【００１０】
（請求項１）
請求項１に記載のヒューズホルダーカバーは、ガラス管ヒューズを保持する一対の端子金具を備えたヒューズホルダーに回動可能に取り付けられるヒューズホルダーカバーであって、前記ヒューズホルダーの上面を覆うカバー部と、前記カバー部の中間部付近において下方に突出して設けられてガラス管ヒューズを保持可能な保持部と、前記カバー部の端部付近において下方に突出して設けられ、互いに対向するように配置された一対の接続片と、を備え、前記一対の接続片は、前記ヒューズホルダーに軸支されて回動軸となる突起が外側面に形成されるとともに、前記突起よりも先端側に操作部が形成されており、前記操作部を両側から押圧操作したときに、前記一対の接続片が互いに接近する方向に弾性変形することを特徴とする。
【００１１】
（請求項２）
請求項２に記載の発明は、上記した請求項１記載の発明の特徴点に加え、以下の点を特徴とする。
すなわち、前記操作部は、前記接続片の先端を略Ｌ字形に曲折して形成されていることを特徴とする。
【００１２】
（請求項３）
請求項３に記載の発明は、上記した請求項１又は２記載の発明の特徴点に加え、以下の点を特徴とする。
すなわち、前記カバー部には、前記接続片と略平行にスリットが形成されていることを特徴とする。
【００１３】
（請求項４）
請求項４に記載の発明は、請求項１〜３のいずれかに記載のヒューズホルダーカバーと、このヒューズホルダーカバーを取り付け可能なヒューズホルダーと、を備えたヒューズ保持ユニットであって、以下の点を特徴とする。
すなわち、前記ヒューズホルダーは、前記突起を嵌合させるための嵌合孔を形成した一対の壁部を備え、前記壁部の内側面には、端縁から前記嵌合孔に向かってガイド溝が形成されていることを特徴とする。
【発明の効果】
【００１４】
請求項１に記載の発明は上記の通りであり、ヒューズホルダーに回動可能に取り付けられるヒューズホルダーカバーにおいて、カバー部の端部付近において下方に突出して設けられた一対の接続片を備え、前記一対の接続片は、前記ヒューズホルダーに軸支されて回動軸となる突起が外側面に形成されるとともに、前記突起よりも先端側に操作部が形成されており、前記操作部を両側から押圧操作したときに、前記一対の接続片が互いに接近する方向に弾性変形する。すなわち、操作部を両側から摘むことで回動軸を備えた一対の接続片が弾性変形するので、このような操作を行うことで容易にヒューズホルダーカバーをヒューズホルダーに対して着脱させることができる。
【００１５】
よって、例えばヒューズの溶断時に点灯するＬＥＤなどの報知手段を備えたヒューズホルダーカバーを事後的にヒューズホルダーに取り付けることで、ヒューズ溶断時の表示機能を容易に追加することができる。また、報知手段を備えたヒューズホルダーカバーと報知手段を備えないヒューズホルダーカバーとの交換も容易である。このような構成によれば、溶断チェッカーを別部材として追加するような構成と比較して、サイズや製造コストの上昇を抑えることができる。
【００１６】
また、請求項２に記載の発明は上記の通りであり、前記操作部は、前記接続片の先端を略Ｌ字形に曲折して形成されている。このような構成によれば、ヒューズホルダーカバーを起立方向に回動させてヒューズホルダーに対して開放させたときに、操作部がヒューズホルダーの外に突出する方向に延設されているため、操作部を容易に操作することができる。
【００１７】
また、請求項３に記載の発明は上記の通りであり、前記カバー部には、前記接続片と略平行にスリットが形成されているため、接続片が互いに接近する方向に弾性変形する際に、スリットを利用して弾性変形し易くなっており、ヒューズホルダーカバーの着脱を更に容易とすることができる。
【００１８】
また、請求項４に記載の発明は上記の通りであり、前記ヒューズホルダーは、前記突起を嵌合させるための嵌合孔を形成した一対の壁部を備え、前記壁部の内側面には、端縁から前記嵌合孔に向かってガイド溝が形成されているため、ヒューズホルダーカバーをヒューズホルダーに取り付ける際に（すなわち、回動軸となる突起をヒューズホルダーの嵌合孔に嵌合させる際に）、ガイド溝を利用して容易に取り付けることができる。
【図面の簡単な説明】
【００１９】
【図１】ヒューズホルダーカバーを開放したヒューズ保持ユニットの外観斜視図である。
【図２】ヒューズホルダーカバーを閉じたヒューズ保持ユニットの外観斜視図である。
【図３】ヒューズホルダーの外観斜視図である。
【図４】ヒューズホルダーの分解斜視図である。
【図５】ヒューズホルダーの分解側面図である。
【図６】ヒューズホルダーの（ａ）平面図、（ｂ）正面図、（ｃ）側面図である。
【図７】ヒューズホルダーのＸ−Ｘ断面図である。
【図８】ヒューズホルダーに電線を着脱する様子を示すＸ−Ｘ断面図である。
【図９】ヒューズホルダーカバーの外観斜視図である。
【図１０】ヒューズホルダーカバーの（ａ）平面図、（ｂ）正面図、（ｃ）側面図である。
【発明を実施するための形態】
【００２０】
本発明の実施形態について、図を参照しながら説明する。
本実施形態に係るヒューズ保持ユニットは、図１及び図２に示すように、制御盤内や機器内に設置されるガラス管ヒューズ７０を保持するために使用されるヒューズホルダー１０と、ヒューズホルダー１０に回動可能に取り付けられるヒューズホルダーカバー５０とを備えて構成されている。
【００２１】
ヒューズホルダー１０は、図４及び図５に示すように、ガラス管ヒューズ７０を保持する一対の端子金具１１と、前記一対の端子金具１１などを支持するために絶縁体で形成されたケース体２０と、前記一対の端子金具１１を覆うように前記ケース体２０に取り付けられる端子カバー３５と、前記一対の端子金具１１それぞれに臨むように前記ケース体２０に内蔵された付勢部材４０と、前記付勢部材４０を操作するために前記ケース体２０に対して押し込み操作可能に取り付けられた操作部材４６と、を備えている。
【００２２】
一対の端子金具１１は、図３に示すように、長手方向に並べて配置され、それぞれの端子金具１１がガラス管ヒューズ７０の両端を保持するようになっている。それぞれの端子金具１１は、図４に示すように、ガラス管ヒューズ７０を保持する保持部１２と、保持部１２に連続して設けられる角柱状の埋設部１４と、を備えている。
【００２３】
保持部１２は、対向するように配置された一対の立設片によって形成されており、各立設片の中央にはガラス管ヒューズ７０の端部が嵌合する凹曲部が形成されている。このため、保持部１２の上方からガラス管ヒューズ７０の端部を差し込んだときに、一対の立設片が広がり方向に弾性変形し、ガラス管ヒューズ７０の端部を凹曲部まで差し込み可能となっている。ガラス管ヒューズ７０の端部が凹曲部まで差し込まれると、一対の立設片が両側からガラス管ヒューズ７０の端部付近を狭持固定する。なお、保持部１２には、ガラス管ヒューズ７０の端面を支持する端面支持片１３が設けられており、この端面支持片１３がガラス管ヒューズ７０の端面を支持することで、保持部１２によって狭持固定されたガラス管ヒューズ７０の脱落を防止できるようになっている。
【００２４】
埋設部１４は、ケース体２０の凹部２４（後述）に埋設される部分である。この埋設部１４がケース体２０の凹部２４に埋設され、上から端子カバー３５で覆われることで、端子金具１１がケース体２０に固定される。この埋設部１４は角柱状に形成され、内部に付勢部材４０を配設可能となっている。また、この埋設部１４の天面は、電線８０と接触する電線接触部１５を構成しており、付勢部材４０によって電線８０がこの電線接触部１５に押し付けられることで、電線８０と端子金具１１とが電気的に接続されるようになっている。
【００２５】
ケース体２０は、上記した端子金具１１などを内蔵する筐体であり、合成樹脂などの絶縁材料で形成されている。図６等に示すように、ケース体２０は、上面に端子金具１１を露出させて固定できるようになっており、露出した端子金具１１の側部を覆う壁部２１を備えている。壁部２１の上端角部には、ヒューズホルダーカバー５０を取り付けるための嵌合孔２２が穿設されている。なお、壁部２１の内側面には、端縁から嵌合孔２２に向かって徐々に幅狭となるガイド溝２３が形成されており、このガイド溝２３によって、ヒューズホルダーカバー５０の突起５６を嵌合孔２２に誘導できるようになっている。
【００２６】
ケース体２０の上面には、前後二箇所に、端子金具１１の埋設部１４を埋設するための凹部２４が陥没して設けられている。この凹部２４の四隅には挿入脚部３８を挿入するための端子カバー装着部２５が形成されている。
【００２７】
また、ケース体２０の長手方向に見た前後の両端面には、電線８０を挿入するための挿入孔２６が貫通形成されている。この挿入孔２６は、図７等に示すように、凹部２４の内部まで貫通しており、挿入孔２６に挿入された電線８０を凹部２４の内部に導入できるように形成されている。この挿入孔２６の端縁は、図６等に示すように筒状に突出した筒状部２７となっている。
【００２８】
また、ケース体２０の側面には、一方に第１接続部２８が設けられ、他方に第２接続部２９が設けられている。この第１接続部２８及び第２接続部２９は互いに係合可能な形状で形成されており、この第１接続部２８及び第２接続部２９を係合させることで、隣り合う２つのケース体２０を接続することができるようになっている。具体的には、第２接続部２９は、上方向から第１接続部２８をスライドさせて係合可能なアリ溝部３０を備えており、第１接続部２８は、このアリ溝部３０に対応するホゾとして突出形成されているため、２つのケース体２０の側面を互いに密接させた状態で上下にスライドすることで、ケース体２０の結合及び結合解除ができるように形成されている。
【００２９】
また、ケース体２０の下部には、ＤＩＮレールなどに嵌合固定するためのレール取付部３１が設けられている。このため、レール取付部３１をＤＩＮレールなどに嵌合固定することで、ヒューズホルダー１０を所望の場所に取り付け可能となっている。
【００３０】
端子カバー３５は、ケース体２０に取り付けられることで、ケース体２０の凹部２４に収容された端子金具１１の埋設部１４を覆うものであり、図４等に示すように、四角板状の被覆部３６と、この被覆部３６の四隅から下方に突出する挿入脚部３８と、を備えている。挿入脚部３８は、ケース体２０の端子カバー装着部２５に挿入される部位であり、この挿入脚部３８が端子カバー装着部２５に挿入されることで、端子カバー３５をケース体２０に取り付けることができるようなっている。また、被覆部３６は、端子金具１１及び操作部材４６がケース体２０から外れないように両者を上から覆う部位である。なお、被覆部３６の中央には、操作部材４６の角柱部４７（後述）の上面を露出させるための開口３７が形成されている。
【００３１】
付勢部材４０は、挿入孔２６から凹部２４の内部に導入された電線８０を端子金具１１の電線接触部１５に押し付けるとともに、操作部材４６を上方に付勢するためのものである。この付勢部材４０は、図４等に示すような板バネであり、端子金具１１の埋設部１４の内側に収容される。本実施形態においては、埋設部１４の内部に入り込んでくる操作部材４６の脚部４９（後述）を中央に見て、両側に２つの付勢部材４０が配置されている。このように付勢部材４０を挿入孔２６に対応して２つ設けることで、挿入孔２６から挿入された電線８０を別々に端子金具１１の電線接触部１５に押し付けることができるようになっている。
【００３２】
この付勢部材４０は、埋設部１４の底面に接触する載置面を備えた基部４１と、基部４１の一端から延設された第１アーム部４２と、基部４１の他端から延設された第２アーム部４４と、を備えている。第１アーム部４２及び第２アーム部４４は、互いに略平行となるように斜め上方に延設されており、挿入孔２６から挿入された電線８０の先端が傾斜面に当接するように挿入方向に沿って傾斜している。このため、挿入孔２６から電線８０を挿入したときに、第１アーム部４２及び第２アーム部４４が下方に弾性変形して電線８０が通過できるようになっている。このように通過した電線８０は、第１アーム部４２及び第２アーム部４４の上端部と端子金具１１の電線接触部１５とに挟持され、容易には引き抜けないようになっている。すなわち、付勢部材４０が挿入孔２６に挿入された電線８０を端子金具１１の方向へと付勢することで、端子金具１１と相俟って電線８０を狭持固定するように形成されている。
【００３３】
なお、第１アーム部４２及び第２アーム部４４の中途部には、それぞれ受部４３、４５が設けられている。受部４３、４５は、操作部材４６の角柱部４７の底面と接触する位置に設けられている。
【００３４】
操作部材４６は、ケース体２０の凹部２４の内部で上下移動可能に配置される部材であり、四角柱状の角柱部４７と、角柱部４７の底面から突出形成された脚部４９と、を備えている。角柱部４７の下面は、上述したように付勢部材４０の受部４３、４５に接触しており、これにより操作部材４６が付勢部材４０によって上方へと付勢されている（または、操作部材４６が付勢部材４０に載置された状態となっている）。逆の側面から見ると、この操作部材４６を押し込み操作すると、操作部材４６の角柱部４７の底面が受部４３、４５を下方に押圧するようになっており、操作部材４６を押し込み操作することで操作部材４６によって押圧された付勢部材４０が弾性変形するようになっている。付勢部材４０と端子金具１１とで電線８０が狭持固定されている場合には、操作部材４６を押し込み操作して付勢部材４０が弾性変形させることで、電線８０の狭持固定を解除できるようになっている。
【００３５】
なお、操作部材４６の角柱部４７の上面には、スクリュードライバ９０等を受けるための係合凹部４８が凹設されている。このため、この係合凹部４８にスクリュードライバ９０等を係合させて上から押すことで、付勢部材４０の付勢力に抗して操作部材４６を押し込み操作しやすく形成されている。
【００３６】
特に、本実施形態の操作部材４６は、設置面に対して直交方向に押し込み操作可能となっている。このため、レール取付部３１を使用してヒューズホルダー１０が固定された状態でも、固定された状態のままスクリュードライバ９０等で操作部材４６を押圧操作できるようになっている。
【００３７】
図８は、ヒューズホルダー１０に電線８０を着脱する様子を示す図である。図８（ａ）が示すように、ヒューズホルダー１０に電線８０を装着する場合には、挿入孔２６から電線８０を挿入するだけでよい。挿入孔２６から挿入された電線８０は、付勢部材４０を押し退けて挿入され、ケース体２０の凹部２４内で挟持固定される。これにより、図８（ｂ）が示すように、電線８０と端子金具１１とが電気的に接続される。
【００３８】
なお、電線８０が細いために付勢部材４０を押し退けて挿入できない場合には、操作部材４６を上から押した状態で電線８０を差し込めば、付勢部材４０の影響を受けずに電線８０を差し込むことができる。
【００３９】
また、ヒューズホルダー１０から電線８０を外す際には、図８（ｃ）が示すように、操作部材４６の係合凹部４８にスクリュードライバ９０等を係合させて上から押すことで、付勢部材４０を下方に弾性変形させて、付勢部材４０と端子金具１１とによる電線８０の狭持固定を解除する。そして、このように狭持固定を解除した上で、電線８０を引き抜けばよい。なお、引き抜いた電線８０やヒューズホルダー１０は、半田やかしめなどによる外形的な変化が加えられていないため、そのまま再利用が可能である。
【００４０】
上記したヒューズホルダー１０に対して回動可能に取り付けられるヒューズホルダーカバー５０は、図１に示すように、起立方向に回動させてヒューズホルダー１０の内部を開放することでガラス管ヒューズ７０の交換が容易に行えるように形成されている。
【００４１】
このヒューズホルダーカバー５０は、図９及び図１０に示すように、ヒューズホルダー１０の上面を覆うカバー部５１と、カバー部５１の中間部付近において下方に突出する保持部５４と、カバー部５１の一端に設けられた摘み部５３と、この摘み部５３の下方に突出して設けられた係合部５８と、係合部５８が設けられた側とは逆側の他端において下方に突出して設けられた一対の接続片５５と、が一体的に形成された合成樹脂製の部材である。
【００４２】
カバー部５１は、ヒューズホルダー１０の平面形状と略等しく形成された板状部材である。このカバー部５１の長手方向端部には、図９に示すように、接続片５５と略平行にスリット５２が形成されている。このスリット５２は、一対の接続片５５それぞれの内側に２箇所形成されており、また、接続片５５よりも奥に長く切り込んで形成されている。
【００４３】
保持部５４は、ガラス管ヒューズ７０を着脱可能に保持する鉤状部であり、この保持部５４にガラス管ヒューズ７０を取り付けた状態でヒューズホルダーカバー５０を閉じることで、保持部５４に取り付けられたガラス管ヒューズ７０がヒューズホルダー１０の端子金具１１に装着されるようになっている。
【００４４】
摘み部５３は、ヒューズホルダーカバー５０を開閉操作する際に摘んで操作するための部位である。本実施形態においては、特に図示しないが、この摘み部５３の内部にＬＥＤやネオンなどを利用した報知手段が配設されており、ヒューズの溶断時にはこの報知手段が点灯して溶断を報知するようになっている。
【００４５】
係合部５８は、ヒューズホルダーカバー５０を閉じたときにヒューズホルダー１０と係合するための部位である。この係合部５８は、ヒューズホルダー１０の嵌合孔２２に嵌り込む突起５９を備えており、この突起５９がヒューズホルダーカバー５０を閉じたときに嵌合孔２２と係合することで、ヒューズホルダーカバー５０が意図せず開放されることがないようになっている。なお、この突起５９と嵌合孔２２との係合は、摘み部５３を持ってヒューズホルダーカバー５０を引き上げれば容易に解除することができ、ヒューズホルダーカバー５０を引き上げて起立方向に回動させることで、図１に示すようにヒューズホルダーカバー５０を開放できるようになっている。
【００４６】
一対の接続片５５は、ヒューズホルダーカバー５０の回動支点を提供するための部分である。この一対の接続片５５は、図１０等に示すように、側面視Ｌ字形の薄板状の部材を互いに対向するように配置したものである。
【００４７】
この一対の接続片５５の外側面には、図９等に示すように、突起５６が形成されている。この突起５６は、ヒューズホルダー１０の嵌合孔２２に嵌入することで、ヒューズホルダーカバー５０を回動させるための回動軸を形成するものである。この突起５６は、係合部５８の突起５９よりも大きく突出しており、係合部５８の突起５９のように容易に嵌合孔２２から外すことはできないようになっている。
【００４８】
また、一対の接続片５５には、上記した突起５６よりも先端側に操作部５７が形成されている。この操作部５７は、一対の接続片５５を互いに接近する方向に弾性変形させるためのものであり、接続片５５の先端を略Ｌ字形に曲折して形成されている。このように略Ｌ字形に曲折して形成することで、図１に示すように、ヒューズホルダーカバー５０を起立方向に回動させてヒューズホルダー１０に対して開放させたときに、操作部５７がヒューズホルダー１０の壁部２１の外に突出するようになっている。
【００４９】
ヒューズホルダーカバー５０をヒューズホルダー１０から取り外す際には、図１に示すようにヒューズホルダーカバー５０を起立方向に回動させてヒューズホルダー１０に対して開放させた状態で、操作部５７を両側から摘んで押圧操作する。上記したように、一対の接続片５５は薄板状に形成されており、また、一対の接続片５５の内側にスリット５２が形成されているため、操作部５７を両側から摘んで押圧操作すると、一対の接続片５５が互いに接近する方向に撓んで弾性変形する。一対の接続片５５が互いに接近する方向に弾性変形すると、接続片５５の外側に設けられた突起５６が内側に引っ込むため、突起５６を嵌合孔２２から外すことができるようになる。この状態でヒューズホルダーカバー５０を引き抜けば、容易にヒューズホルダーカバー５０をヒューズホルダー１０から取り外すことができる。
【００５０】
一方、ヒューズホルダーカバー５０をヒューズホルダー１０に取り付ける際には、操作部５７を両側から摘んで一対の接続片５５を弾性変形させた状態で、突起５６が嵌合孔２２に係合するようにヒューズホルダーカバー５０を差し込めばよい。このとき、嵌合孔２２を形成した一対の壁部２１の内側面には、端縁から嵌合孔２２に向かってガイド溝２３が形成されているため、突起５６をガイド溝２３に沿って滑らせることで容易に突起５６と嵌合孔２２とを係合させることができる。
【００５１】
以上説明したように、本実施形態によれば、ヒューズホルダー１０に回動可能に取り付けられるヒューズホルダーカバー５０において、カバー部５１の端部付近において下方に突出して設けられた一対の接続片５５を備え、前記一対の接続片５５は、前記ヒューズホルダー１０に軸支されて回動軸となる突起５６が外側面に形成されるとともに、前記突起５６よりも先端側に操作部５７が形成されており、前記操作部５７を両側から押圧操作したときに、前記一対の接続片５５が互いに接近する方向に弾性変形する。すなわち、操作部５７を両側から摘むことで回動軸を備えた一対の接続片５５が弾性変形するので、このような操作を行うことで容易にヒューズホルダーカバー５０をヒューズホルダー１０に対して着脱させることができる。
【００５２】
よって、例えばヒューズの溶断時に点灯するＬＥＤなどの報知手段を備えたヒューズホルダーカバー５０を事後的にヒューズホルダー１０に取り付けることで、ヒューズ溶断時の表示機能を容易に追加することができる。また、報知手段を備えたヒューズホルダーカバー５０と報知手段を備えないヒューズホルダーカバー５０との交換も容易である。このような構成によれば、溶断チェッカーを別部材として追加するような構成と比較して、サイズや製造コストの上昇を抑えることができる。
【００５３】
また、前記操作部５７は、前記接続片５５の先端を略Ｌ字形に曲折して形成されている。このような構成によれば、ヒューズホルダーカバー５０を起立方向に回動させてヒューズホルダー１０に対して開放させたときに、操作部５７がヒューズホルダー１０の外に突出する方向に延設されているため、操作部５７を容易に操作することができる。
【００５４】
また、前記カバー部５１には、前記接続片５５と略平行にスリット５２が形成されているため、接続片５５が互いに接近する方向に弾性変形する際に、スリット５２を利用して弾性変形し易くなっており、ヒューズホルダーカバー５０の着脱を更に容易とすることができる。
【００５５】
また、前記ヒューズホルダー１０は、前記突起５６を嵌合させるための嵌合孔２２を形成した一対の壁部２１を備え、前記壁部２１の内側面には、端縁から前記嵌合孔２２に向かってガイド溝２３が形成されているため、ヒューズホルダーカバー５０をヒューズホルダー１０に取り付ける際に（すなわち、回動軸となる突起５６をヒューズホルダー１０の嵌合孔２２に嵌合させる際に）、ガイド溝２３を利用して容易に取り付けることができる。
【符号の説明】
【００５６】
１０  ヒューズホルダー
１１  端子金具
１２  保持部
１３  端面支持片
１４  埋設部
１５  電線接触部
２０  ケース体
２１  壁部
２２  嵌合孔
２３  ガイド溝
２４  凹部
２５  端子カバー装着部
２６  挿入孔
２７  筒状部
２８  第１接続部
２９  第２接続部
３０  アリ溝部
３１  レール取付部
３５  端子カバー
３６  被覆部
３７  開口
３８  挿入脚部
４０  付勢部材
４１  基部
４２  第１アーム部
４３  受部
４４  第２アーム部
４５  受部
４６  操作部材
４７  角柱部
４８  係合凹部
４９  脚部
５０  ヒューズホルダーカバー
５１  カバー部
５２  スリット
５３  摘み部
５４  保持部
５５  接続片
５６  突起
５７  操作部
５８  係合部
５９  突起
７０  ガラス管ヒューズ
８０  電線
９０  スクリュードライバ
【図１】
2014212055.tif 000003
【図２】
2014212055.tif 000004
【図３】
2014212055.tif 000005
【図４】
2014212055.tif 000006
【図５】
2014212055.tif 000007
【図６】
2014212055.tif 000008
【図７】
2014212055.tif 000009
【図８】
2014212055.tif 000010
【図９】
2014212055.tif 000011
【図１０】
2014212055.tif 000012